(57)【要約】      （修正有）【課題】立木の伐採時の傾倒方向を見定めることが可能であると共に、受け口、追い口を構成部材を動かさずに形成することが可能な立木伐採補助具を提供する。【解決手段】立木の立設方向に沿って該立木の軸心に対して略対称となる表面に取り付けられる対をなす長尺部材２と、この対をなす長尺部材２を立木に固定する固定手段（締付バンド３）とを備え、対をなす長尺部材２のそれぞれを、第1の長尺片２１と第２の長尺片２２とを長手方向に直列に配置すると共に立木に対して同方向のみに屈曲可能に互いに連結して構成される立木伐採補助具１。【選択図】図１
2015050977.tif 000002
【特許請求の範囲】
【請求項１】
立木を伐採する際に立木に取り付けられる立木伐採補助具であって、
前記立木の立設方向に沿って該立木の軸心に対して略対称となる表面に取り付けられる対をなす長尺部材と、この対をなす長尺部材を前記立木に固定する固定手段とを備え、
前記対をなす長尺部材のそれぞれは、第1の長尺片と第２の長尺片とを長手方向に直列に配置すると共に前記立木に対して同方向のみに屈曲可能に互いに連結して構成されている
ことを特徴とする立木伐採補助具。
【請求項２】
前記対をなす長尺部材は、前記第1の長尺片及び前記第２の長尺片の少なくとも一方を伸縮できる構造とすることにより伸縮可能であることを特徴とする請求項１記載の立木伐採補助具。
【請求項３】
前記長尺部材には、前記第１の長尺片と前記第２の長尺片との連結部位近傍に、前記立木に切り込みを入れる部位を避けるように、該切り込みが入る側と反対側へ退避させた逃げ部が形成されていることを特徴とする請求項１又は２記載の立木伐採補助具。
【請求項４】
前記長尺部材には、前記立木の表面と対峙する側に前記立木との滑りを防止する滑り止め部材を設けたことを特徴とする請求項１乃至３のいずれかに記載の立木伐採補助具。
【発明の詳細な説明】
【技術分野】
【０００１】
本発明は、立木を伐採する際に、その伐採する立木に取り付けられて立木の転倒方向を誘導するために用いられる立木伐採補助具に関する。
【背景技術】
【０００２】
送配電設備の充電部に対して近接している立木については、充電部との必要な離隔距離を確保するために、適宜伐採して事故を未然に防ぐようにしている。
【０００３】
特に送電線に接近している立木を伐採する場合には、伐採する際に立木が送電線に接近しないようにすることが求められると共に伐採対象以外の樹木を傷めないようにしなければならない。また、伐倒時に隣接する樹木との接触により伐倒方向が変わり退避している作業員が下敷きにならないようにしなければならず、伐倒方向が限定される。
このため、従来においては、下記する特許文献１，２に示される補助具が提案されている。
【０００４】
このうち、特許文献１に示される伐採補助具は、立木の上方側の部位を保持する第１保持体と、立木の下方側の部位を保持する第２保持体と、第１保持体と第２保持体とが所定距離以上離反するのを防止すると共に、立木の上方側の部位が転倒する際に上方側の部位の下端部を中心に回動すべく第１保持体と第２保持体とを複数のリンク部材により構成された接続体で接続するようにしたものである。
【０００５】
また、特許文献２に示される伐採補助具は、２本の板材間に複数本の横木を取り付
けた補助具下本体と、２本の板材間に複数本の横木を取り付けた補助具上本体と、長手方向へ直列に並べた補助具下本体と補助具上本体とを直線状態から一方向のみに折れ曲がるように該補助具下本体２の上部と補助具上本体の下部とを連結するヒンジと、各横木に設けられて立木を着脱自在に把持する把持部とを備えたものである。
【先行技術文献】
【特許文献】
【０００６】
【特許文献１】特開２０１１−１６７１５８号公報
【特許文献２】特開２０１２−１５２１１８号公報
【発明の概要】
【発明が解決しようとする課題】
【０００７】
しかしながら、前者の伐採補助具にあっては、伐採方向はある程度決められるが、第１の保持体と第２の保持体との間が複数のリンク部材により伸長可能に連結された構成であるので、確実に一方向に傾倒するわけではない。しかも、伐採補助具を立木に取り付けた状態で立木に受け口や追い口を形成する場合には、同公報の図５（a）にも示されるように、受け口を形成する場合には、受け口を形成するのに障害とならない位置までリンク部材を動かしてその状態を保持し、また、追い口を形成する場合には、追い口を形成するのに障害とならない位置までリンク部材を動かしてその状態を保持する必要があり、伐採作業に時間がかかる不都合がある。
【０００８】
この点、後者の伐採補助具にあっては、一方向にしか傾倒しないように構成されているので、傾倒方向を見定めることは可能であるが、受け口を形成することが難しい構造であり、その分追い口を深く形成する必要があり、伐採に要する時間がかかる不都合がある。
【０００９】
本発明は、かかる事情に鑑みてなされたものであり、上述した不都合を解消し、立木の伐採時の傾倒方向を見定めることが可能であると共に、受け口、追い口を構成部材を動かさずに形成することが可能な立木伐採補助具を提供することを主たる課題としている。
【課題を解決するための手段】
【００１０】
上記課題を達成するために、本発明に係る立木伐採補助具は、立木を伐採する際に立木に取り付けられる補助具であって、前記立木の立設方向に沿って該立木の軸心に対して略対称となる表面に取り付けられる対をなす長尺部材と、この対をなす長尺部材を前記立木に固定する固定手段とを備え、前記対をなす長尺部材のそれぞれは、第1の長尺片と第２の長尺片とを長手方向に直列に配置すると共に前記立木に対して同方向のみに屈曲可能に互いに連結して構成されていることを特徴としている。
【００１１】
したがって、立木の軸心に対して略対称となる表面に、立木に対して同方向のみに屈曲可能な対をなす長尺部材が設けられるので、立木の受け口を形成する側と追い口を形成する側とが立木伐採補助具で覆われることがなくなる。胸高直径４０ｃｍ以上の立木を伐採する場合には、伐採直径の１／４以上の深さの受け口を形成する必要があるが、本補助具を立木の側面に取り付けた場合でも、受け口を形成する際の支障はない。
【００１２】
ここで、前記対をなす長尺部材は、前記第1の長尺片及び前記第２の長尺片の少なくとも一方を伸縮できる構造とすることにより伸縮可能としてもよい。
このような構成を採用することで、立木の大きさや高さに応じて長尺部材の取り付け状態を調節することが可能となる。
【００１３】
また、立木に対する切り込み（受け口や追い口）を深く形成したい場合には、前記長尺部材の前記第１の長尺片と前記第２の長尺片との連結部位近傍に、前記立木に切り込みを入れる部位を避けるように、該切り込みが入る側と反対側へ退避させた逃げ部を形成するようにしてもよい。
このような構成によれば、逃げ部の部分で該逃げ部に対して反対側から立木に切り込みを入れることで、切り込みを深く形成することが可能となる。
【００１４】
また、長尺部材には、立木の表面と対峙する側に前記立木との滑りを防止する滑り止め部材を設けるようにしてもよい。
この滑り止め部材を長尺部材と立木との間に介在させることで、立木に取り付けた立木伐採補助具がずれてしまう不都合を回避することが可能となる。
【発明の効果】
【００１５】
以上述べたように、本発明に係る立木伐採補助具よれば、立木の立設方向に沿って該立木の軸心に対して略対称となる表面に取り付けられた対をなす長尺部材と、この対をなす長尺部材を立木に固定する固定手段とを備え、対をなす長尺部材のそれぞれを、直列に連結されて同方向のみに屈曲可能となる第1の長尺片と第２の長尺片とにより構成したので、立木の伐採時の傾倒方向を見定めることが可能となり、また、受け口や追い口を伐採補助具の構成部材を動かさずに形成することが可能となる。
【図面の簡単な説明】
【００１６】
【図１】図１は、本発明に係る立木伐採補助具を示す図であり、（ａ）は、一方の長尺部材を正面から見た図、（ｂ）は対をなす長尺部材を側方から見た図、（ｃ）は、長尺部材に取り付けられている滑り止め部材を示す図である。
【図２】図２は、本発明に係る立木伐採補助具を立木に取り付けた状態を示す図であり、（ａ）は立木を側方から見た図、（ｂ）は（ａ）のＡ−Ａ線で切断した端面図、（ｃ）は（ａ）のＢ−Ｂ線で切断した端面図である。
【図３】図３は、立木の伐採の前後を示す図であり、（ａ）は、立木に本発明に係る立木伐採補助具を取り付けた伐採前の状態を示す図、（ｂ）は、（ａ）の状態から立木を倒した状態を示す図である。
【図４】図４は、本発明に係る立木伐採補助具を構成する長尺片の他の構成例を示す図である。
【図５】図５は、本発明に係る立木伐採補助具の他の構成例を示す図であり、（ａ）は、一方の長尺部材を正面から見た図、（ｂ）は長尺部材を立木に取り付けた状態を示す図である。
【発明を実施するための形態】
【００１７】
以下、本発明に係る立木伐採補助具を添付図面を参照しながら説明する。
【００１８】
図１乃至図２において、立木伐採補助具１は、対をなす長尺部材２と、この対をなす長尺部材２に取り付けられた固定手段としての締付バンド３とを有して構成されている。
【００１９】
それぞれの長尺部材２は、剛性のある金属材、例えばアルミニウム合金等で構成された第1の長尺片２１と第２の長尺片２２とを互いの端部を回動可能にボルト及びナット等の連結手段２３により連結して構成されている。長尺部材の一方の長尺片（この例では、第1の長尺片２１）の連結側端部には、この長尺片を他方の長尺片（この例では、第２の長尺片２２）に対して一直線状に配置させた場合に、その状態から一方の長尺片が一方向のみに回転（屈曲）し、他方向への回転（屈曲）が阻止されるストッパ２４が側縁から立設されている。
【００２０】
一方の長尺部材２は、他方の長尺部材２に対して対称形状に形成されているもので、したがって、互いに内側を向い合せて配設させた状態においては、それぞれの第1の長尺片２１が取り付けられる立木に対して同方向のみに回動されるようになっている。
【００２１】
なお、いずれの長尺部材２も、この例では、第1の長尺片２１と第２の長尺片２２はそれぞれ１ｍ程度の長さに形成され、長尺部材２としては、直線状に延ばした状態で略２ｍ程度の長さに形成されている。
【００２２】
また、各長尺片２１，２２には、締付バンド３を取り付けるためのバンド取付片２１ａ，２２ａが一体に形成されている。このバンド取付片２１ａ，２２ａは、締付バンド３を長尺片２１，２２を跨ぐように取り付けることができるように、長尺片２１，２２の両側にバンド挿通孔２１ｂ，２２ｂが形成され、締付バンド３をこのバンド挿通孔の一方に内側（裏側）から外側（表側）に挿通させ、長尺片２１，２２を跨ぐように這わせた後に他方のバンド挿通孔に外側（表側）から内側（裏側）に挿通させることで長尺部材２に取り付けられている。そして、この締付バンド３を立木の周囲に回し付けることで長尺部材２を立木に対して固定するようにしている。
【００２３】
なお、締付バンド３は、数センチ程度の巾を有し、ナイロン樹脂のように丈夫かつ軽量のもので、樹木に回し付けて留め具３ａを介して強固に締め付けできるものが利用される。締付バンド３を締め付ける留め具３ａは、各種構成が考えられるが、既存の樹脂バンド等で利用される留め具を用いればよく、特に限定されるものではない。また、締付バンド３としては、全体が一体成型された結束バンドを用いてもよい。
【００２４】
また、長尺部材２の立木と対峙する内側の面には、立木の表面に食い込ませて滑り止めとして機能させる滑り止め部材２５が設けられている。
【００２５】
この滑り止め部材２５は、長尺部材２の立木と対峙する面に設けられるもので、硬質ゴムにより構成されたベース部材２５ａに複数の金属製の針状突起２５ｂを突設させ、長尺部材２を立木表面に押し当てた場合に、滑り止め部材２５の針状突起２５ｂが立木表面に食い込み、位置ずれを防ぐことを可能としている。
【００２６】
この滑り止め部材２５は、長尺部材２の立木１０と対峙する面のうち、特に締付バンド３を取り付けるバンド取付片２１ａ，２２ａが設けられている部分の内側に取り付けられることが好ましい。この部分が、締付バンドの締め付け力が最も強く作用する部分であり、締め付け力を立木に対して与える最も効果的な場所である。
【００２７】
さらに、長尺部材２には、受け口５１を形成する部位を示す指標２６と追い口５２を形成する部位を示す指標２７とが、それぞれ長尺部材２の側縁から突設されている。
【００２８】
以上の構成において、立木伐採補助具１を用いて立木１０を傾倒する手順について説明すると、図２に示されるように、立木１０の切断したい箇所に長尺部材２の屈曲部位を合わせて立木１０の軸中心に対して対称となる位置に対をなす長尺部材２を立木１０の軸心に沿ってあてがい、また、長尺部材２の屈曲方向を伐倒方向に一致させ、その状態で、各バンド取付片２１ａ，２２ａに取り付けられた締付バンド３を立木の周囲に回し付けて締め付けることで、立木伐採補助具１を立木１０にしっかり固定する。
【００２９】
このようにして立木伐採補助具１が取り付けられた立木１０は、対をなす長尺部材２が立木１０の軸中心に対して対称となる位置に設けられているので、対をなす長尺部材２を含む面に対して、一方の側は、長尺部材で覆われることがなく、立木１０の表面が表出された状態となるので、立木伐採補助具１を特に動かさなくてもこの補助具に邪魔されることなくチェインソーを立木１０の側方から押し当てて受け口５１を形成することが可能となる。
【００３０】
また、対をなす長尺部材２を含む面に対して他方の側も、長尺部材で覆われることがなく、立木１０の表面が表出された状態にあるので、立木伐採補助具１を特に動かさなくてもこの補助具に邪魔されることなくチェインソーを立木の側方から押し当てて追い口５２を形成することが可能となる。
【００３１】
したがって、立木１０に立木伐採補助具１を固定した後は、受け口５１を形成する部位を示す指標２６を確かめながら、その位置又はその近傍に受け口５１を形成し、その後、追い口５２を形成する部位を示す指標２６を確かめながら、その位置又はその近傍に追い口５２を形成する。
【００３２】
すると、立木１０は、立木伐採補助具１で規制された屈曲方向にのみ倒れ始め、この立木伐採補助具１に案内されつつ、受け口５１よりも上方の部分１０ａが追い口５２が形成された側と反対側に傾倒する。この際、立木１０の受け口５１より上方の部分１０ａは、長尺部材２の連結手段２３を中心に傾倒し、傾倒した後でも長尺部材２の第1の長尺片２１と第２の長尺片２２とは連結された状態にあるので、図３に示されるように、立木１０の傾倒した上側の部分１０ａは、下側の部分１０ｂから離れることがなく、下側の部分から離れて遠くへ転がり動くことが防止される。
【００３３】
以上の構成においては、第1の長尺片２１と第２の長尺片２２とは、所定の長さに固定されたものであったが、少なくとも一方の長尺片を伸縮できるように構成して長尺部材を伸縮可能としてもよい。
【００３４】
例えば、図４に示されるように、第1の長尺片２１を、外側長尺片３１と内側長尺片３２の二重構造とし、外側長尺片３１に対して内側長尺片３２を軸方向（長手方向）に変位させ、任意の位置で固定できるようにしてもよい。この例では、外側長尺片３１の正面中央に軸方向に延びるスリット３１ａを形成し、内側長尺片３２の対応する箇所にも軸方向に延びるスリット３２ａを形成し、これらスリット間に蝶ねじ３３，３４を挿通させて任意の位置で蝶ねじ３３，３４を締め付けることにより外側長尺片３１と内側長尺片３２との相対位置を固定するようにしている。この際、締付バンド３の取り付け位置も適宜変更できるようにすることが望ましいため、内側長尺片３２の先端部に対しては、締付バンド３のバンド取付片３２ｂが固定されているが、外側長尺片３１に対しては、バンド取付片３１ｂの位置が適宜変更できるように、バンド取付片３１ｂを取り付ける凸部３１ｃを外側長尺片３１の側部に所定の間隔で軸方向に複数形成するようにしている。
【００３５】
このような構成とすることで、第1の長尺片２１の長さを調整でき、また、締付バンド３の取り付け位置も調節することができるので、立木１０の太さや丈等に応じて最適な支持状態を形成することが可能となる。
【００３６】
尚、上述においては、第１の長尺片２１の長さを可変できるようにしたが、第２の長尺片２２も同様の構成としてもよい。
また、以上の構成においては、対をなす長尺部材２を第1の長尺片２１と第2の長尺片２２とを直線状に形成した例を示したが、このような構成においては、対をなす長尺部材２を軸中心に対して対称となる位置に取り付けた場合、受け口５１は、十分な深さに形成可能であるが（立木の直径の１／４以上形成すればよい）、追い口５２は立木１０の直径の略半分位までしか形成することができない。このため、追い口５２を深く形成する要請がある場合には、図５に示されるように、第1の長尺片２１の第２の長尺片２２との連結部位近傍に、立木１０に切り込み（追い口５２）を入れる部位を避けるように、切り込み（追い口５２）が入る側と反対側へ退避させた逃げ部２８を形成するようにしてもよい。
【００３７】
この例において、逃げ部２８は、立木１０の軸心に対して略垂直方向に延設された水平部２８ａとこの水平部２８ａに続いて形成され、受け口５１の形成角度（３０〜３５度）に合わせて傾斜させた傾斜部２８ｂとにより構成されている。
なお、他の構成は、図１の構成と同様であるので、同一箇所に同一符号を付して説明を省略する。
【００３８】
このような構成とすることで、前述した作用効果が得られると共に、追い口５２を立木の半径以上に深く形成することが可能となり、また、受け口５１を傾斜部２８ｂの傾きに沿って形成すれば適切な受け口５１の形成角度が得られるので、立木の伐採作業を的確に行うことが可能となる。
【符号の説明】
【００３９】
１  立木伐採補助具
２  長尺部材
３  締付バンド
１０  立木
２１  第1の長尺片
２２  第2の長尺片
２３  連結手段
２５  滑り止め部材
２８  逃げ部
【図１】
2015050977.tif 000003
【図２】
2015050977.tif 000004
【図３】
2015050977.tif 000005
【図４】
2015050977.tif 000006
【図５】
2015050977.tif 000007